(57)【要約】【目的】集合玄関機を壁面に取り付ける際に、取付金具と化粧パネルとをネジで締めた場合であっても化粧パネルが変形するのを防止する。【解決手段】  集合玄関機等が取り付けられる取付金具と、プラスチック素材で成型され、当該取付金具とネジで嵌合される化粧パネルと、化粧パネルは化粧パネル被せてネジにより嵌合するに際しネジ止めしやすいよう化粧パネルの底面に斜め前方から背面方向へ成型されたネジ穴ガイドリブ、取付金具の底面にネジ穴ガイドリブの延長線上に斜め前方から背面方向へ向かって切られたネジ穴を有するネジ穴ガイドリブ接合面を有し、ネジ穴ガイドリブがネジ穴ガイドリブ接合面の下部に先に当たるように凸部を有することでネジを締め付けた際に化粧パネルを背面側に湾曲する方向に力を加え、電子機器本体に化粧パネルの背面側に当接する当接リブを備えて化粧パネルが背面側に湾曲するのを防止する。【選択図】  図１
2016082406.tif 000002
【特許請求の範囲】
【請求項１】
集合玄関機等の電子機器本体が取り付けられる取付金具と、当該取付金具とネジで嵌合される化粧パネルとから構成され、
前記化粧パネルはＡＢＳ等のプラスチック素材で成型されており、
前記取付金具を壁面に取り付けた状態において前記化粧パネル被せて前記ネジにより嵌合するに際しネジ止めしやすいように、
前記化粧パネルの底面には、斜め前方から背面方向へ成型されたネジ穴ガイドリブを有し、
前記取付金具の底面には、前記ネジ穴ガイドリブの延長線上に斜め前方から背面方向へ向かって切られたネジ穴を有するネジ穴ガイドリブ接合面を有し、
前記ネジ穴ガイドリブと前記ネジ穴ガイドリブ接合面はネジ穴の有する角度で接合され、
前記ネジ穴ガイドリブが前記ネジ穴ガイドリブ接合面に接合する際に下部が先に当たるように凸部を有することによりネジを締め付けた際に前記化粧パネルを背面側に湾曲する方向に力を加える一方、
前記電子機器本体に前記化粧パネルの背面側に当接する当接リブを備えることにより前記化粧パネルが背面側に湾曲するのを防止することを特徴とすることを特徴とする電子機器の壁面取付構造。
【発明の詳細な説明】
【技術分野】
【０００１】
本発明は、集合玄関機等の電子機器を壁面に取り付ける際に、化粧パネルの変形を防止する構造に関する。
【背景技術】
【０００２】
従来から、電子機器、特に集合玄関機を壁面に取り付ける際には、金属製の取付金具を壁面に取り付けた後に、同様に金属製の取付金具を上から被せて底面側でネジ止めして固定する。この場合、底面側でネジ止めしやすいようにネジ穴は斜め前方側から背面側に切られている。
【先行技術文献】
【特許文献】
【０００３】
【特許文献１】特開２０１０−０５０７９７号公報
【発明の概要】
【発明が解決しようとする課題】
【０００４】
しかしながら、従来の集合玄関機は、金属製の化粧パネルであるため斜め前方から背面側にネジを締め付けても変形することはないが、金属性でありコストが高く、また、化粧パネル自体も重く施工性が低い。
そこで化粧パネルをＡＢＳ等のプラスチック素材で成型すればコストを抑えるとともに軽量化により施工性も向上するが、ネジを締めることで化粧パネルが弓形に変形し、集合玄関機本体と化粧パネルとの面に段差が生じてしまう虞があった。
【０００５】
そこで、本発明はこのような問題点に鑑み、取付金具と化粧パネルとをネジで締めた場合であっても化粧パネルが変形するのを防止し、集合玄関機本体と化粧パネルとの面に段差が生じないようにする電子機器の壁面取付構造を提供することを目的とする。
【課題を解決するための手段】
【０００６】
本発明は、上述の難点を解消するためになされたもので、集合玄関機等の電子機器本体が取り付けられる取付金具と、当該取付金具とネジで嵌合される化粧パネルとから構成され、化粧パネルはＡＢＳ等のプラスチック素材で成型されており、取付金具を壁面に取り付けた状態において化粧パネルを被せてネジにより嵌合するに際しネジ止めしやすいように、化粧パネルの底面には、斜め前方から背面方向へ成型されたネジ穴ガイドリブを有し、取付金具の底面には、ネジ穴ガイドリブの延長線上に斜め前方から背面方向へ向かって切られたネジ穴を有するネジ穴ガイドリブ接合面を有し、ネジ穴ガイドリブとネジ穴ガイドリブ接合面はネジ穴の有する角度で接合され、ネジ穴ガイドリブがネジ穴ガイドリブ接合面に接合する際に下部が先に当たるように凸部を有することによりネジを締め付けた際に化粧パネルを背面側に湾曲する方向に力を加える一方、電子機器本体に化粧パネルの背面側に当接する当接リブを備えることにより化粧パネルが背面側に湾曲するのを防止することを特徴とすることを特徴とする電子機器の壁面取付構造。
【発明の効果】
【０００７】
このような発明によれば、化粧パネルに安価な素材であるＡＢＳ等のプラスチック素材であっても変形することがなく、また、これにより軽量化を図ることができるので、施工性に優れた集合玄関機等の電子機器を提供することができる。
【図面の簡単な説明】
【０００８】
【図１】（ａ）は本発明に係る電子機器（集合玄関機）の正面図、（ｂ）はＡ−Ａ断面図であり、ネジ止めしていない状態及び部分拡大図を示す、（ｃ）はＡ−Ａ断面図であり、ネジ止めしている状態及び部分拡大図を示す。
【図２】（ａ）は本発明に係る電子機器（集合玄関機）の化粧パネルの正面図、（ｂ）は背面図、（ｃ）は背面斜視図及び部分拡大図を示す。
【図３】本発明に係る集合玄関機本体の正面図を示す。
【図４】（ａ）は本発明に係る電子機器（集合玄関機）の化粧パネルを取付金具に取り付けた状態の正面図、（ｂ）はそのＢ−Ｂ断面図を示す。
【図５】本発明に係る集合玄関機の分解斜視図を示す。
【発明を実施するための形態】
【０００９】
以下、本発明を具体化した実施の形態を、図面に基づいて詳細に説明する。
図１（ａ）は電子機器である集合玄関機の正面図、図１（ａ）は本発明に係る電子機器（集合玄関機）の正面図、（ｂ）はＡ−Ａ断面図であり、ネジ止めしていない状態及び部分拡大図を示す、（ｃ）はＡ−Ａ断面図であり、ネジ止めしている状態及び部分拡大図、図２（ａ）は本発明に係る電子機器（集合玄関機）の化粧パネルの正面図、（ｂ）は背面図、（ｃ）は背面斜視図及び部分拡大図、図３は本発明に係る集合玄関機本体の正面図、図４（ａ）は本発明に係る電子機器（集合玄関機）の化粧パネルを取付金具に取り付けた状態の正面図、（ｂ）はそのＢ−Ｂ断面図、図５は本発明に係る集合玄関機の分解斜視図を示す。
【００１０】
集合玄関機１０は、来訪者を撮像するカメラ１１、来訪者が居住者と通話するためのマイク１２、スピーカ１３、来訪者が居住者の部屋番号を操作するテンキー１４、居住者が別途接続されるオートドア(図示せず)の解錠するためのカードリーダー部１５、集合玄関機本体１を取付金具２に取り付けるための嵌合ツメ１６、後述する化粧パネル３の背面側と当接させて湾曲するのを防止する当接リブ１７を有する集合玄関機本体１と、上面に形成され化粧パネル３に係止させるための２つの係止ツメ２１、化粧パネル３とネジにより取り付けるためのネジ穴２２１を有するネジ穴ガイドリブ接合面２２、嵌合ツメ１６が嵌め込まれる嵌合ツメ受け２３とから構成される取付金具２と、取付金具２に取り付けられ係止ツメ２１を受ける係止ツメ受け３１、ネジを挿入し、前述のネジ穴２２１へネジをガイドするためのネジ穴ガイドリブ３２を有する化粧パネル３とから構成されている。
【００１１】
ここで、ネジ穴ガイドリブ接合面２２と当接するネジ穴ガイドリブ３２の先端部には、下部に凸部３２１が設けられており、当該凸部がネジ穴ガイドリブ接合面に先に当接するように構成されている（図１（ｂ）部分拡大図参照）。
【００１２】
このように構成された集合玄関機１０を壁面に設置する場合について詳述する。
まず、取付金具２に集合玄関機本体１を取り付けるにあたり集合玄関機本体１を取付金具２の前面側から嵌め込む。このとき集合玄関機本体１の周囲に４つ設けられた嵌合ツメ１６が取付金具２の嵌合ツメ受け２３に嵌合されて固定される（詳細は特許文献１参照）。
【００１３】
次に、取付金具２を壁面に取り付ける。この場合、予め壁面側には埋め込みボックス（図示しない）が取り付けられており、その前面側に集合玄関機本体１付の取付金具２を４つのネジで壁面に固定する。
【００１４】
この状態において、化粧パネル３を固定する。まずは、取付金具２の上面側に設けられた係止ツメ２１に対して化粧パネル３の係止ツメ受け３１を引っ掛けて、それを軸に化粧パネル３を回転させて仮固定する。
この状態は図１（ａ）の正面図の状態となり、化粧パネル３の中心部分にある窓から集合玄関機本体１が操作可能な状態で配置されることとなる。このとき、集合玄関機本体１の面と化粧パネル３の面とが面一になっている。
【００１５】
次に、化粧パネル３の底面側に設けたネジ穴ガイドリブ３２にネジを差し込み固定をおこなう。ここで、図１（ｂ）（ｃ）、図２（ｃ）、図４（ｂ）に示すようにネジ穴ガイドリブ３２と、ネジ穴２２１を有するネジ穴ガイドリブ接合面２２は取付金具２を壁面に取り付けた状態において化粧パネル３をネジ止めしやすいように、双方とも斜め前方から背面方向へ成型されている。
また、このとき、図１（ｂ）部分拡大図に示すようにネジ穴ガイドリブ接合面２２には、ネジ穴ガイドリブ３２の先端部の下部に設けた凸部３２１が先に当接する。
【００１６】
これにより、ネジを締め付けると、図１（ｃ）部分拡大図に示すようにネジ穴ガイドリブ３２の凸部３２１を支点として上部に力が加わり、化粧パネル３としては逆反り方向に力が加わる。
しかしながら、化粧パネル３の背面が取付金具２の前面に設けられた当接リブ１７に当たるため化粧パネル３が反ることはない。これにより、集合玄関機本体１の面と化粧パネル３の面とが面一の状態を保持することができる。
【符号の説明】
【００１７】
１・・・集合玄関機本体
１１・・・カメラ
１２・・・マイク
１３・・・スピーカ
１４・・・テンキー
１５・・・カードリーダー
１６・・・嵌合ツメ
１７・・・当接リブ
２・・・取付金具
２１・・・係止ツメ
２２・・・ネジ穴ガイドリブ接合面
２２１・・・ネジ穴
３・・・化粧パネル
３１・・・係止リブ受け
３２・・・ネジ穴ガイドリブ
３２１・・・凸部
１０・・・集合玄関機
【図１】
2016082406.tif 000003
【図２】
2016082406.tif 000004
【図３】
2016082406.tif 000005
【図４】
2016082406.tif 000006
【図５】
2016082406.tif 000007